(57)【特許請求の範囲】
【請求項１】
複数の電池セルを有する複数の電池モジュールが筐体内に収容された電池パックであって、
前記電池モジュール毎に設けられ、前記電池セルの状態量を検出するための複数の出力端子にそれぞれ接続される複数の第１の電線が束ねられた第１のワイヤハーネスと、
前記電池モジュール毎に設けられ、前記複数の第１の電線にそれぞれ接続される複数の第２の電線が束ねられた第２のワイヤハーネスと、
前記電池モジュール毎に設けられ、前記第１のワイヤハーネス及び前記第２のワイヤハーネスによって伝えられた情報を用いて前記状態量を検出する状態量検出部と、
を備え、
前記第１のワイヤハーネスは、前記第２の電線の一方の端部に接続されるコネクタを有し、
前記状態量検出部には、前記第２の電線の他方の端部に接続されるコネクタが配線されており、
前記筐体内の１箇所以上に、２個以上の前記状態量検出部が纏めて配置され、
任意の前記第１のワイヤハーネスの前記複数の第１の電線の各長さは、前記任意の第１のワイヤハーネス以外の前記第１のワイヤハーネスの前記複数の第１の電線の各長さとそれぞれ同じ長さであり、
前記第２のワイヤハーネスの長さは、前記状態量検出部に配線される前記コネクタの配置箇所と前記第１のワイヤハーネスの前記コネクタの配置箇所とが離れているほど長くなるように調整されている、電池パック。
【請求項２】
前記筐体内の１箇所に、全ての前記状態量検出部が纏められて配置される、請求項１に記載の電池パック。
【請求項３】
前記第１の電線は、前記電池セルの電圧を検出するための電線であり、前記電池セルの電極端子に接続される、請求項１又は請求項２に記載の電池パック。
【発明の詳細な説明】
【技術分野】
【０００１】
本発明は、電池パックに関する。
【背景技術】
【０００２】
従来の電池パックとしては、例えば、特許文献１に記載されている電池パックが知られている。特許文献１に記載の電池パックは、複数の電池セルを有する複数の電池モジュールを備えており、電池モジュール毎にＥＣＵ[Electronic Control Unit]が電池モジュールの載置板上に設けられている。このＥＣＵには、複数の電池セルの電圧、温度等が入力される。
【先行技術文献】
【特許文献】
【０００３】
【特許文献１】特開２０１４−１２３５１６号公報
【発明の概要】
【発明が解決しようとする課題】
【０００４】
従来の電池パックでは電池モジュール毎にＥＣＵが設けられているが、複数の電池モジュールに対してＥＣＵを１個設けることが検討されている。１個のＥＣＵの場合、電池モジュールが配置される箇所に応じて、ＥＣＵと電池モジュールとの位置関係が変わる。そのため、各電池モジュールから複数の電池セルの電圧等を１個のＥＣＵにそれぞれ入力させるためには、長さが異なる電線が束ねられたワイヤハーネスが複数種類必要となる。これにより、ワイヤハーネスに要するコストが高くなり、また、ワイヤハーネスの組み付け時の作業性が低下する。
【０００５】
そこで、本発明においては、ワイヤハーネスに要するコストを抑制できかつワイヤハーネスの組み付け時の作業性を向上できる電池パックを提案することを課題とする。
【課題を解決するための手段】
【０００６】
本発明の一側面に係る電池パックは、複数の電池セルを有する複数の電池モジュールが筐体内に収容された電池パックであって、電池モジュール毎に設けられ、電池セルの状態量を検出するための複数の出力端子にそれぞれ接続される複数の第１の電線が束ねられた第１のワイヤハーネスと、電池モジュール毎に設けられ、複数の第１の電線にそれぞれ接続される複数の第２の電線が束ねられた第２のワイヤハーネスと、電池モジュール毎に設けられ、第１のワイヤハーネス及び第２のワイヤハーネスによって伝えられた情報を用いて状態量を検出する状態量検出部とを備え、筐体内の１箇所以上に２個以上の状態量検出部が纏めて配置され、任意の第１のワイヤハーネスの複数の第１の電線の各長さは任意の第１のワイヤハーネス以外の第１のワイヤハーネスの複数の第１の電線の各長さとそれぞれ略同じ長さであり、第２のワイヤハーネスの長さは電池モジュールが筐体内に配置される箇所に応じて調整されている。
【０００７】
この電池パックでは、電池モジュールの配置される箇所に応じて第２のワイヤハーネスの長さを調整することで、全ての第１のワイヤハーネスの複数の第１の電線の各長さを略同じ長さとしている。そのため、この電池パックでは、全ての電池モジュールで同じ構成で短い第１のワイヤハーネスを用いることができるので、コストを抑制できかつ組み付け時の作業性を向上できる。
【０００８】
一実施形態の電池パックでは、第２のワイヤハーネスの長さは、状態量検出部が配置されている箇所と電池モジュールが配置されている箇所との位置関係に応じて調整されているとよい。
【０００９】
一実施形態の電池パックでは、筐体内の１箇所に全ての状態量検出部が纏められて配置される構成としてもよい。
【００１０】
一実施形態の電池パックでは、第１の電線が、電池セルの電圧を検出するための電線であり、電池セルの電極端子に接続される構成としてもよい。
【００１１】
一実施形態の電池パックでは、２個以上の第２のワイヤハーネスの複数の第２の電線にそれぞれ接続される複数の第３の電線が束ねられた第３のワイヤハーネスを備え、状態量検出部は、第１のワイヤハーネス、第２のワイヤハーネス及び第３のワイヤハーネスによって伝えられた情報を用いて状態量を検出する構成としてもよい。この構成の場合、ワイヤハーネスの組み付け時の作業性を更に向上できる。
【発明の効果】
【００１２】
本発明によれば、ワイヤハーネスに要するコストを抑制できかつワイヤハーネスの組み付け時の作業性を向上できる。
【図面の簡単な説明】
【００１３】
【図１】一実施形態に係る電池パックの概略斜視図である。
【図２】一実施形態に係る電池パックの電池モジュールの平面図である。
【図３】一実施形態に係る電池パックの概略平断面図である。
【図４】一実施形態に係る電池パックの概略側断面図である。
【図５】他の実施形態に係る電池パックの第３のワイヤハーネスを模式的に示す図である。
【図６】他の実施形態に係る電池パックの概略平断面図である。
【図７】他の実施形態に係る電池パックの概略側断面図である。
【発明を実施するための形態】
【００１４】
以下、図面を参照して、本発明の実施形態に係る電池パックを説明する。なお、各図において同一又は相当する要素については同一の符号を付し、重複する説明を省略する。
【００１５】
図１〜図４を参照して、一実施形態に係る電池パック１について説明する。図１は、電池パック１の概略斜視図である。図２は、電池パック１の電池モジュールの平面図である。図３は、電池パック１の概略平断面図である。図４は、電池パック１の概略側断面図である。
【００１６】
電池パック１は、筐体１０内に複数の電池モジュール２０と１個のＥＣＵ３０が収容されている。この実施形態では、電池モジュール２０の個数を７個とする。７個の電池モジュール２０は、筐体１０内の上下２段に分けて配置され、上段に３個、下段に４個配置されている。これは一例であり、電池モジュール２０の個数については電池パックの仕様に応じて適宜決められ、電池モジュール２０の配置箇所についても筐体１０の形状などに応じて適宜決められる。ＥＣＵ３０は、筐体１０内の上段に配置されている。
【００１７】
筐体１０について説明する。筐体１０は、箱状であり、例えば、略直方体形状である。筐体１０は、側板１１，１２，１３，１４、底板１５、天板１６からなる。側板１１，１２，１３，１４、底板１５及び天板１６は、所定の厚みを有する矩形の平板状である。側板１１，１２，１３，１４は、底板１５の各縁部にそれぞれ立設されている。側板１１と側板１２とは、対向して配置されている。側板１３と側板１４とは、対向して配置されている。天板１６の各縁部は、側板１１〜１４の各縁部にそれぞれ固定されている。底板１５と天板１６とは、対向して配置されている。筐体１０を形成する材料としては、例えば、鉄などの金属材料である。筐体１０内には、７個の電池モジュール２０、ＥＣＵ３０などが収容されている。特に、筐体１０の側板１１に３個の電池モジュール２０とＥＣＵ３０が固定され、側板１２に４個の電池モジュール２０が固定されている。筐体１０は、内部から気体、液体が外部に漏れないように密閉されている。なお、図３は筐体１０の天板１６が取り除かれた状態の電池パック１の概略平断面図である。また、図４は筐体１０の側板１４が取り除かれた状態の電池パック１の概略側断面図である。
【００１８】
電池モジュール２０について説明する。電池モジュール２０は、複数（図２に示す例では７個）の電池セル２１と、複数の電池ホルダ２２と、弾性部材２３と、ミドルプレート２４と、一対のブラケット２５と、複数のボルト２６と、複数のナット２７と、を備えている。複数の電池セル２１は、電池ホルダ２２に保持された状態で一方向（配列方向Ｄ）に沿って配列され、配列体を形成している。弾性部材２３及びミドルプレート２４は、この配列体における配列方向Ｄの一方側に配置されている。一対のブラケット２５は、配列方向Ｄの両側に配置されている。複数のボルト２６及びナット２７は、一対のブラケット２５同士を連結する。
【００１９】
電池セル２１は、例えば、リチウムイオン二次電池などの非水電解質二次電池といった蓄電池、あるいは電気二重層キャパシタである。電池セル２１は、箱状のケース内に電解液と電極組立体を収容してなる。電極組立体は、正極、負極及び正極と負極とを絶縁するセパレータを複数有している。この複数の正極、負極及びセパレータは、正極と負極との間にセパレータを挟んだ状態で積層されている。
【００２０】
電池セル２１は、電極端子である正極端子２１ａと負極端子２１ｂを有している。複数の電池セル２１は、極性が異なる電極端子２１ａ，２１ｂが隣り合うように配列されている。複数の電池セル２１は、バスバー２８によって電気的に直列に接続されている。隣り合う電池セル２１同士は、伝熱プレート（図示せず）を介して密着している。
【００２１】
電池ホルダ２２は、例えば、樹脂により電池セル２１を取り囲む形状に形成されている。電池ホルダ２２には、配列方向Ｄに貫通する挿通孔（図示せず）が形成されている。この挿通孔には、ボルト２６が挿通される。
【００２２】
弾性部材２３は、例えば、ゴムにより平板状に形成されている。弾性部材２３は、配列方向Ｄの一方の端部に配置されるミドルプレート２４とブラケット２５との間に配置されている。弾性部材２３の配列方向Ｄから見た平面形状は、例えば矩形状であり、ミドルプレート２４の外形よりも小さくなっている。弾性部材２３は、例えばミドルプレート２４に対して係合手段（図示せず）によって組み付けられており、配列方向Ｄに直交する方向において複数の電池セル２１からなる配列体に対して位置決めされている。
【００２３】
ミドルプレート２４は、弾性部材２３から複数の電池セル２１にかかる荷重のばらつきを抑制するための部材である。ミドルプレート２４は、例えば、金属材料により平板状に形成されている。ミドルプレート２４は、複数の電池セル２１からなる配列体と弾性部材２３との間に配置されている。ミドルプレート２４の配列方向Ｄから見た平面形状は、例えば矩形状であり、弾性部材２３の外形よりも大きくなっている。ミドルプレート２４には、挿通孔（図示せず）が形成されている。この挿通孔には、ボルト２６が挿通される。
【００２４】
一対のブラケット２５は、複数の電池セル２１及び弾性部材２３に拘束荷重を付加すると共に、筐体１０に対して電池モジュール２０を固定するための部材である。ブラケット２５は、例えば、金属材料からなる板状部材が折り曲げられて形成されている。ブラケット２５は、折曲部２５ａを挟んで挟持部２５ｂと固定部２５ｃとが形成されている。挟持部２５ｂは、弾性部材２３及びミドルプレート２４を介して複数の電池セル２１を挟み込む部分である。挟持部２５ｂには、挿通孔（図示せず）が形成されている。この挿通孔には、ボルト２６が挿通される。固定部２５ｃは、筐体１０に固定される部分である。固定部２５ｃには、挿通孔（図示せず）が形成されている。この挿通孔には、筐体１０に固定するためのボルト（図示せず）が挿通される。
【００２５】
ボルト２６は、例えば、金属材料により形成されている。ボルト２６は、一対のブラケット２５の挟持部２５ｂ間よりも長い長尺のボルトである。ボルト２６は、複数（例えば、４本）設けられ、配列方向Ｄに延在して一対のブラケット２５同士を連結している。複数のボルト２６は、一対のブラケット２５の挿入孔、ミドルプレート２４の挿通孔及び電池ホルダ２２の挿通孔にそれぞれ挿通されている。複数のボルト２６は、配列方向Ｄの一端側のブラケット２５の挟持部２５ｂの外側でナット２７によりそれぞれ締結されている。この締結により、複数の電池セル２１及び弾性部材２３には拘束荷重が付加されている。
【００２６】
電池モジュール２０には、サーミスタ２９が設けられている。サーミスタ２９は、電池セル２１の温度を検出する温度センサである。図２に示す例では、サーミスタ２９の個数は２個であり、サーミスタ２９が複数の電池セル２１からなる配列体における中央付近に配置される２個の電池セル２１に対してそれぞれ設けられている。これは一例であり、サーミスタ２９の個数は適宜の個数としてよい。サーミスタ２９は、２個の出力端子（図示せず）を有している。
【００２７】
７個の電池モジュール２０は、ブラケット２５の固定部２５ｃとボルト（図示せず）により、筐体１０の対向する２枚の側板１１，１２に固定されている。側板１１には、上段側に１個の電池モジュール２０が固定され、下段側に２個の電池モジュール２０が並べられて固定されている。側板１２には、上段側に２個の電池モジュール２０が並べられて固定され、下段側に２個の電池モジュール２０が並べられて固定されている。側板１１，１２には、ブラケット２５の固定部２５ｃの挿通孔が配置される位置に対応して、各非貫通のネジ溝付きのネジ孔がそれぞれ形成されている。
【００２８】
ＥＣＵ３０について説明する。ＥＣＵ３０は、電池パック１に備えられる７個の電池モジュール２０の電池セル２１の状態量を検出すると共に監視する装置である。電池セル２１の状態量としては、例えば、電圧、温度である。電池セル２１に対する監視は、例えば、各状態量が異常値か否かを判定し、異常値の場合には電池セル２１の充放電の停止などの異常時の処置を行う。ＥＣＵ３０は、筐体１０の側板１１の上段側に電池モジュール２０と並べて固定されている。ＥＣＵ３０は、例えば、電池モジュール２０と同様に、一対のブラケットとボルトを用いて側板１１に固定される。
【００２９】
ＥＣＵ３０は、筐体３０ａ内に状態量検出用基板３０ｂ、監視用基板３０ｃなどが収容されている。筐体３０ａは、箱状であり、例えば、略直方体形状である。各基板３０ｂ，３０ｃは、電子回路基板であり、例えば、ガラスエポキシ樹脂によって形成されている。状態量検出用基板３０ｂには、７個の電池モジュール２０の状態量検出部が搭載されている。状態量検出用基板３０ｂは、例えば、電池モジュール２０毎に、電池モジュール２０に備えられる複数の電池セル２１の電圧をそれぞれ検出する各検出回路と、２個の電池セル２１の温度をそれぞれ検出する各検出回路とからなる状態量検出部を有している。電池セル２１の電圧検出は、例えば、正極端子２１ａの電位と負極端子２１ｂの電位との電位差から検出される。電池セル２１の温度検出は、例えば、サーミスタ２９の２個の出力端子間に流れる電流値から検出される。監視用基板３０ｃは、７個の電池モジュール２０の監視部が搭載されている。監視用基板３０ｃは、例えば、電池モジュール２０毎に、状態量検出用基板３０ｂの各状態量検出部で検出された電池セル２１の電圧を監視するための各監視回路と、電池セル２１の温度を監視する各監視回路と、異常時の処置を行うための処理回路とからなる監視部を有している。
【００３０】
ＥＣＵ３０の筐体３０ａには、７個の電池モジュール２０にそれぞれ対応して、７個のコネクタ３０ｄが設けられる。図３等で示す例では、筐体３０ａの一面（筐体１０の側板１１に固定される面に対向する面）の上側に３個のコネクタ３０ｄが設けられ、下側に４個のコネクタ３０ｄが設けられている。コネクタ３０ｄには、後述する第２のワイヤハーネス４１のコネクタ４１ｄが接続される。コネクタ３０ｄは、ハウジン内に後述する第２のワイヤハーネス４１の第２の電線４１ａの本数と同じ数の接続端子が設けられている。このコネクタ３０ｄの各接続端子は、状態量検出用基板３０ｂの対応する電池モジュール２０の状態量検出部に配線されている。なお、７個のコネクタ３０ｄは、筐体３０ａの複数の面に分けて設けられてもよい。
【００３１】
電池パック１は、７個の電池モジュール２０とＥＣＵ３０との間をそれぞれ電気的に接続するためにワイヤハーネスを備えている。このワイヤハーネスは、電池モジュール２０毎に、第１のワイヤハーネス４０と第２のワイヤハーネス４１とからなる。第１のワイヤハーネス４０は、電池モジュール２０の電池セル２１の状態量を検出するための各出力端子に接続される状態量検出用のワイヤハーネスである。第２のワイヤハーネス４１は、第１のワイヤハーネス４０に接続され、第１のワイヤハーネス４０からＥＣＵ３０まで延びる延長用のワイヤハーネスである。
【００３２】
第１のワイヤハーネス４０について説明する。第１のワイヤハーネス４０は、複数の第１の電線４０ａと、被覆部材４０ｂと、コネクタ４０ｃと、を有している。第１のワイヤハーネス４０は、複数の第１の電線４０ａが束ねられ、この束ねられた部分が被覆部材４０ｂに覆われている。また、第１のワイヤハーネス４０は、束ねられた複数の第１の電線４０ａの一端部にコネクタ４０ｃが取り付けられている。コネクタ４０ｃは、電池モジュール２０における配列方向Ｄの一端部（図２に示す例では弾性部材２３が配置される側の端部）に配置される。
【００３３】
複数の第１の電線４０ａは、電池セル２１の一方の電極端子（正極端子２１ａ、負極端子２１ｂ）の列と電池セル２１の他方の電極端子の列にそれぞれ沿うように、配列方向Ｄに沿ってコネクタ４０ｃまで延びている。第１の電線４０ａの一方の端部は、接続端子（例えば、電極端子２１ａ，２１ｂに接続される端部は丸型端子、サーミスタ２９の出力端子に接続される端部は差込型端子）が設けられ、この接続端子が状態量を検出するための各出力端子に電気的に接続されている。この状態量を検出するための出力端子は、電池セル２１の正極端子２１ａと負極端子２１ｂ、サーミスタ２９の２個の出力端子である。隣り合う一方の電池セル２１の正極端子２１ａと他方の電池セル２１の負極端子２１ｂとはバスバー２８によって電気的に接続されて同電位なので、このバスバー２８に接続される正極端子２１ａと負極端子２１ｂの何れか一方の電極端子に第１の電線４０ａの接続端子が接続される。したがって、図２に示す例の７個の電池セル２１と２個のサーミスタ２９を有する電池モジュール２０の場合、第１の電線４０ａの本数は、電圧検出用の８本と温度検出用の４本とからなる１２本である。第１の電線４０ａの他方の端部は、コネクタ４０ｃに接続されている。
【００３４】
被覆部材４０ｂは、束ねられた第１の電線４０ａを覆う部材であり、例えば、樹脂テープ、樹脂チューブである。コネクタ４０ｃは、ハウジン内に第１の電線４０ａの本数と同じ数の接続端子が設けられている。コネクタ４０ｃの各接続端子には、第１の電線４０ａの端部がそれぞれ結線されている。
【００３５】
第１のワイヤハーネス４０の複数の第１の電線４０ａの各長さは、状態量を検出するための出力端子の各位置に応じて適宜調整されている。例えば、弾性部材２３から最も離れた箇所に配置された電池セル２１の正極端子２１ａに接続される第１の電線４０ａの長さは、複数の第１の電線４０ａの中で最も長い長さとなっている。また、弾性部材２３から最も近い箇所に配置された電池セル２１の負極端子２１ｂに接続される第１の電線４０ａの長さは、複数の第１の電線４０ａの中で最も短い長さとなっている。電池パック１に備えられる７個の電池モジュール２０の第１のワイヤハーネス４０は、この複数の第１の電線４０ａの各長さの構成が同じ構成である。言い換えれば、任意の電池モジュール２０に設けられる第１のワイヤハーネス４０の複数の第１の電線４０ａの各長さは、他の６個の電池モジュール２０に設けられる第１のワイヤハーネス４０の複数の第１の電線４０ａの各長さとそれぞれ略同じ長さである。
【００３６】
第２のワイヤハーネス４１について説明する。第２のワイヤハーネス４１は、複数の第２の電線４１ａと、被覆部材４１ｂと、２個のコネクタ４１ｃ，４１ｄと、を有している。第２のワイヤハーネス４１は、複数の第２の電線４１ａが束ねられ、この束ねられた部分が被覆部材４１ｂに覆われている。また、第２のワイヤハーネス４１は、束ねられた複数の第２の電線４１ａの両端部にコネクタ４１ｃ，４１ｄが取り付けられている。
【００３７】
第２の電線４１ａの一方の端部は、コネクタ４１ｃに接続されている。第２の電線４１ａの他方の端部は、コネクタ４１ｄに接続されている。第２の電線４１ａの本数は、第１のワイヤハーネス４０の第１の電線４０ａの本数と同じ本数である。この本数の第２の電線４１ａは、コネクタ４１ｃと第１のワイヤハーネス４０のコネクタ４０ｃを介して、第１のワイヤハーネス４０の対応する各第１の電線４０ａにそれぞれ接続される。
【００３８】
被覆部材４１ｂは、束ねられた第２の電線４１ａを覆う部材であり、例えば、樹脂テープ、樹脂チューブである。コネクタ４１ｃ，４１ｄは、ハウジン内に第２の電線４１ａの本数と同じ数の接続端子が設けられている。コネクタ４１ｃの各接続端子には、第２の電線４１ａの一方の端部がそれぞれ結線されている。コネクタ４１ｄの各接続端子には、第２の電線４１ａの他方の端部がそれぞれ結線されている。コネクタ４１ｃは、第１のワイヤハーネス４０のコネクタ４０ｃに接続されるコネクタである。コネクタ４１ｄは、ＥＣＵ３０のコネクタ３０ｄに接続されるコネクタである。
【００３９】
第２のワイヤハーネス４１の長さは、電池モジュール２０が配置される箇所に応じて適宜調整されている。つまり、ＥＣＵ３０の配置されている箇所（特に、コネクタ３０ｄが配置されている箇所）と電池モジュール２０が配置されている箇所（特に、第１のワイヤハーネス４０のコネクタ４０ｃが配置されている箇所）との位置関係に応じて、第２のワイヤハーネス４１の長さが調整されている。例えば、ＥＣＵ３０のコネクタ３０ｄの配置箇所と第１のワイヤハーネス４０のコネクタ４０ｃの配置箇所とが離れているほど、その電池モジュール２０に設けられる第２のワイヤハーネス４１の長さが長くなっている。この長さ調整では、全ての第２のワイヤハーネス４１の長さがそれぞれ異なる長さとしてもよい。また、長さが異なる第２のワイヤハーネス４１を複数種類（例えば、３種類、４種類）用意し、その複数種類の第２のワイヤハーネス４１の中からＥＣＵ３０のコネクタ３０ｄの配置箇所と第１のワイヤハーネス４０のコネクタ４０ｃの配置箇所との位置関係に応じて適した長さの第２のワイヤハーネス４１を用いるようにしてもよい。
【００４０】
この第１のワイヤハーネス４０及び第２のワイヤハーネス４１の組み付け時の作業について説明する。まず、電池モジュール２０毎に、第１のワイヤハーネス４０の各第１の電線４０ａの先端部（接続端子）が、電池モジュール２０の電池セル２１の電極端子２１ａ，２１ｂ及びサーミスタ２９の出力端子にそれぞれ取り付けられる。この際、第１のワイヤハーネス４０の長さが短いので、作業し易い。また、全ての電池モジュール２０に対して、同じ構成の第１のワイヤハーネス４０が用いられる。第１のワイヤハーネス４０のコネクタ４０ｃは、電池モジュール２０における配列方向Ｄの一端部に配置される。
【００４１】
次に、電池モジュール２０毎に、第２のワイヤハーネス４１のコネクタ４１ｃが、第１のワイヤハーネス４０のコネクタ４０ｃに接続される。そして、第２のワイヤハーネス４１のコネクタ４１ｄが、ＥＣＵ３０のコネクタ３０ｄに接続される。この際、電池モジュール２０毎に、電池モジュール２０の配置される箇所に応じた長さの第２のワイヤハーネス４１が用いられる。
【００４２】
これにより、電池パック１では、電池モジュール２０毎に、第１のワイヤハーネス４０と第２のワイヤハーネス４１を介して電池モジュール２０とＥＣＵ３０とが電気的に接続されている。例えば、電池モジュール２０の電池セル２１の正極端子２１ａの電位が、第１のワイヤハーネス４０の第１の電線４０ａ及びコネクタ４０ｃと、第２のワイヤハーネス４１の第２の電線４１ａ及びコネクタ４１ｃ，４１ｄと、ＥＣＵ３０のコネクタ３０ｄとを介して、ＥＣＵ３０の状態量検出用基板３０ｂ（特に、対応する電池モジュール２０の状態量検出部）に伝えられる。
【００４３】
この電池パック１では、電池モジュール２０の配置される箇所に応じて第２のワイヤハーネス４１の長さを調整することで、全ての第１のワイヤハーネス４０の複数の第１の電線４０ａの各長さを略同じ長さとしている。そのため、この電池パック１では、全ての電池モジュール２０で同じ構成の第１のワイヤハーネス４０を用いることができるので、ワイヤハーネスに要するコストを抑制できる。また、この電池パック１では、第１のワイヤハーネス４０が同じ構成でかつ長さが短いので、電池モジュール２０の電池セル２１の電極端子２１ａ，２１ｂ及びサーミスタ２９の出力端子に第１のワイヤハーネス４０を組み付ける際の作業性が向上する。
【００４４】
図５〜図７を参照して、他の実施形態に係る電池パック２について説明する。図５は、電池パック２の第３のワイヤハーネスを模式的に示す図である。図６は、電池パック２の概略平断面図である。図７は、電池パック２の概略側断面図である。なお、図６は、上段側の電池モジュール２０と下段側の電池モジュール２０との間で切断された概略平断面図であり、下段側の電池モジュール２０等を示している。
【００４５】
電池パック２は、上述した実施形態に係る電池パック１と比較すると、下段側の電池モジュール２０のワイヤハーネスの構成（第１のワイヤハーネス４０、第２のワイヤハーネス４２及び第３のワイヤハーネス４３）が異なる。電池パック２では、４個の電池モジュール２０にそれぞれ設けられる４個の第２のワイヤハーネス４２を１個の第３のワイヤハーネス４３に接続し、第３のワイヤハーネス４３がＥＣＵ３０に接続される。第２のワイヤハーネス４２は、第１のワイヤハーネス４０に接続され、第１のワイヤハーネス４０から第３のワイヤハーネス４３の一端部まで延びる延長用のワイヤハーネスである。第３のワイヤハーネス４３は、第２のワイヤハーネス４２に接続され、第２のワイヤハーネス４２からＥＣＵ５０まで延びる延長用のワイヤハーネスである。第２のワイヤハーネス４２と第３のワイヤハーネス４３とが接続される箇所（中継箇所）は、この中継箇所は、例えば、図６、７に示すように、側板１１に固定される電池モジュール２０と側板１２に固定される電池モジュール２０との間におけるＥＣＵ３０側かつ下段側の所定の箇所である。なお、第１のワイヤハーネス４０は電池パック１の第１のワイヤハーネス４０と同様のものであるので、説明を省略する。
【００４６】
第２のワイヤハーネス４２は、電池パック１の第２のワイヤハーネス４１と同様に、複数の第２の電線４２ａと、被覆部材４２ｂと、２個のコネクタ４２ｃ，４２ｄと、を有している。第２のワイヤハーネス４２の長さは、下段側の電池モジュール２０が配置される箇所に応じて適宜調整されている。より具体的には、第３のワイヤハーネス４３の配置されている箇所（特に、後述するコネクタ４３ｃが配置されている箇所）と電池モジュール２０が配置されている箇所（特に、第１のワイヤハーネス４０のコネクタ４０ｃが配置されている箇所）との位置関係に応じて、第２のワイヤハーネス４２の長さが調整されている。ちなみに、電池パック２の下段側の４個の電池モジュール２０に設けられる第２のワイヤハーネス４２の各長さは、電池パック１の下段側の４個の電池モジュール２０に設けられる第２のワイヤハーネス４２の各長さよりも短い。
【００４７】
第３のワイヤハーネス４３は、下段側の４個の電池モジュール２０で共有されるワイヤハーネスである。第３のワイヤハーネス４３は、複数の第３の電線４３ａと、被覆部材４３ｂと、２個のコネクタ４３ｃ，４３ｄと、を有している。第３のワイヤハーネス４３は、複数の第３の電線４３ａが束ねられ、この束ねられた部分が被覆部材４３ｂに覆われている。また、第３のワイヤハーネス４３は、束ねられた複数の第３の電線４３ａの両端部にコネクタ４３ｃ，４３ｄが取り付けられている。
【００４８】
第３の電線４３ａの一方の端部は、コネクタ４３ｃに接続されている。第３の電線４３ａの他方の端部は、コネクタ４３ｄに接続されている。第３のワイヤハーネス４３には４本の第２のワイヤハーネス４２が接続されるので、第３の電線４３ａの本数は、第２のワイヤハーネス４２の第２の電線４２ａの本数の４本分の本数である。この実施形態では、第２の電線４２ａの本数が１２本であるので、第３の電線４３ａの本数は４８本である。この本数の第３の電線４３ａは、コネクタ４３ｃと第２のワイヤハーネス４２のコネクタ４２ｃを介して、第２のワイヤハーネス４２の対応する各第２の電線４２ａにそれぞれ接続される。
【００４９】
被覆部材４３ｂは、束ねられた第３の電線４３ａを覆う部材である。コネクタ４３ｃ，４３ｄは、ハウジン内に第３の電線４３ａの本数と同じ数の接続端子が設けられている。コネクタ４３ｃの各接続端子には、第３の電線４３ａの一方の端部がそれぞれ結線されている。コネクタ４３ｄの各接続端子には、第３の電線４３ａの他方の端部がそれぞれ結線されている。コネクタ４３ｃは、４本の第２のワイヤハーネス４２のコネクタ４２ｃに接続されるコネクタである。コネクタ４３ｄは、後述するＥＣＵ５０のコネクタ５０ｅに接続されるコネクタである。
【００５０】
第３のワイヤハーネス４３の長さは、上述した第２のワイヤハーネス４２と第３のワイヤハーネス４３との中継箇所とＥＣＵ５０の配置されている箇所（特に、コネクタ５０ｅが配置されている箇所）との位置関係に応じて調整されている。
【００５１】
ＥＣＵ５０は、電池パック１のＥＣＵ３０と同様に、筐体５０ａ内に状態量検出用基板５０ｂ、監視用基板５０ｃなどが収容されている。ＥＣＵ５０の筐体５０ａには、ＥＣＵ３０と同様に、上段側の３個の電池モジュール２０にそれぞれ対応して３個のコネクタ５０ｄが設けられている。また、ＥＣＵ５０の筐体５０ａには、３個のコネクタ５０ｄの下方に、１個のコネクタ５０ｅが設けられている。コネクタ５０ｅには、第３のワイヤハーネス４３のコネクタ４３ｄが接続される。コネクタ５０ｅは、ハウジン内に第３のワイヤハーネス４３の第３の電線４３ａの本数と同じ数の接続端子が設けられている。このコネクタ５０ｅの各接続端子は、状態量検出用基板５０ｂの対応する電池モジュール２０の状態量検出部に配線されている。
【００５２】
この第１のワイヤハーネス４０、第２のワイヤハーネス４２及び第３のワイヤハーネス４３の組み付け時の作業について説明する。第１のワイヤハーネス４０の組み付け作業は、上述した電池パック１での作業と同様の作業である。また、上段側の３個の電池モジュール２０の第２のワイヤハーネス４１の組み付け作業は、上述した電池パック１での作業と同様の作業である。
【００５３】
下段側の４個の電池モジュール２０については、電池モジュール２０毎に、第２のワイヤハーネス４２のコネクタ４２ｃが第１のワイヤハーネス４０のコネクタ４０ｃに接続される。この際、第２のワイヤハーネス４２の長さが比較的短いので、作業し易い。そして、４個の第２のワイヤハーネス４２の各コネクタ４２ｄが、第３のワイヤハーネス４３のコネクタ４３ｃに接続される。さらに、第３のワイヤハーネス４３のコネクタ４３ｄが、ＥＣＵ５０のコネクタ５０ｅに接続される。
【００５４】
これにより、電池パック２では、上段側の３個の電池モジュール２０については第１のワイヤハーネス４０と第２のワイヤハーネス４１を介して電池モジュール２０とＥＣＵ５０とが電気的に接続され、下段側の４個の電池モジュール２０については第１のワイヤハーネス４０と第２のワイヤハーネス４２と第３のワイヤハーネス４３を介して電池モジュール２０とＥＣＵ５０とが電気的に接続されている。例えば、下段側の電池モジュール２０の電池セル２１の正極端子２１ａの電位が、第１のワイヤハーネス４０の第１の電線４０ａ及びコネクタ４０ｃと、第２のワイヤハーネス４２の第２の電線４２ａ及びコネクタ４２ｃ，４２ｄと、第３のワイヤハーネス４３の第３の電線４３ａ及びコネクタ４３ｃ，４３ｄと、ＥＣＵ５０のコネクタ５０ｅとを介して、ＥＣＵ５０の状態量検出用基板５０ｂに伝えられる。
【００５５】
この電池パック２では、上述した電池パック１と同様の効果を有する。特に、電池パック２では、下段側の４個の電池モジュール２０については最終的に１個の第３のワイヤハーネス４３でＥＣＵ５０に接続する構成としているので、ＥＣＵ５０に対する組み付け時の作業性が向上する。また、この電池パック２では、下段側の４個の電池モジュール２０については第２のワイヤハーネス４２の長さが短いので、第２のワイヤハーネス４２の組み付け時の作業性が向上する。また、この電池パック２では、ＥＣＵ５０のコネクタの構成がシンプルになる。
【００５６】
以上、本発明の実施形態について説明したが、上記実施形態に限定されることなく様々な形態で実施される。
【００５７】
例えば、上記実施形態では電池パックの全ての電池モジュールの状態量検出部を搭載した状態量検出用基板を備えるＥＣＵを電池パックの筐体内に配置したが、電池モジュール毎に状態量検出部（例えば、ＥＣＵ）をそれぞれ設け、この電池モジュール毎の状態量検出部を筐体内の１箇所に纏めて配置する構成としてもよい。
【００５８】
また、上記実施形態では電池パックの全ての電池モジュールの状態量検出等を行うＥＣＵを１個設け、１個のＥＣＵを電池パックの筐体内の１箇所に配置したが、ＥＣＵを２個以上設け、各ＥＣＵを筐体内の各箇所にそれぞれ配置するようにしてもよい。例えば、筐体の上段側に配置される３個の電池モジュールにそれぞれ対応した３個の状態量検出部を搭載した状態量検出用基板を備える第１のＥＣＵを筐体内の上段側の所定の箇所に配置すると共に、筐体の下段側に配置される４個の電池モジュールにそれぞれ対応した４個の状態量検出部を搭載した状態量検出用基板を備える第２のＥＣＵを筐体内の下段側の所定の箇所に配置するようにしてもよい。
【００５９】
また、上記実施形態では電池モジュールの電池セルの状態量の検出及び監視等を行うＥＣＵとしたが、状態量の検出だけを行うＥＣＵ（状態量検出部）とし、このＥＣＵで検出した情報を他のＥＣＵに送信する構成としてもよい。また、上記実施形態では電池セルの状態量として電圧と温度を検出したが、電圧のみあるいは温度のみを検出してもよいし、電流等の電池セルの他の状態量を検出してもよい。この検出する状態量に応じて、各ワイヤハーネスの電線の本数が変わる。例えば、電圧のみを検出する場合、上記実施形態の例では第１のワイヤハーネスの第１の電線の本数及び第２のワイヤハーネスの第２の電線の本数は８本となり、第３のワイヤハーネスの第３の電線の本数は３２本となる。
【００６０】
また、上記実施形態では第１のワイヤハーネスのコネクタが電池モジュールにおける配列方向の一端部に配置される構成としたが、第１のワイヤハーネスのコネクタが電池モジュールにおける配列方向の中間部などに配置されてもよい。この第１のワイヤハーネスのコネクタが配置される位置に応じて、第１のワイヤハーネスの複数の第１の電線の各長さが変わる。
【００６１】
また、上記実施形態では複数個の第２のワイヤハーネスを合流させる第３のワイヤハーネスを下段側の電池モジュールに対してのみ設けたが、第３のワイヤハーネスを上段側の電池モジュールに対しても設けてもよい。このような構成とすることにより、ＥＣＵへの組み付け時の作業性が更に向上し、ＥＣＵのコネクタの構成が更にシンプルになる。
【符号の説明】
【００６２】
１，２…電池パック、１０…筐体、１１，１２，１３，１４…側板、１５…底板、１６…天板、２０…電池モジュール、２１…電池セル、２１ａ…正極端子、２１ｂ…負極端子、２２…電池ホルダ、２３…弾性部材、２４…ミドルプレート、２５…ブラケット、２５ａ…折曲部、２５ｂ…挟持部、２５ｃ…固定部、２６…ボルト、２７…ナット、２８…バスバー、２９…サーミスタ、３０，５０…ＥＣＵ、３０ａ，５０ａ…筐体、３０ｂ，５０ｂ…状態量検出用基板、３０ｃ，５０ｃ…監視用基板、３０ｄ，５０ｄ，５０ｅ…コネクタ、４０…第１のワイヤハーネス、４０ａ…第１の電線、４０ｂ…被覆部材、４０ｃ…コネクタ、４１，４２…第２のワイヤハーネス、４１ａ，４２ａ…第２の電線、４１ｂ、４２ｂ…被覆部材、４１ｃ，４１ｄ，４２ｃ，４２ｄ…コネクタ、４３…第３のワイヤハーネス、４３ａ…第３の電線、４３ｂ…被覆部材、４３ｃ，４３ｄ…コネクタ。
【図１】
0006610007.tif 000002
【図２】
0006610007.tif 000003
【図３】
0006610007.tif 000004
【図４】
0006610007.tif 000005
【図５】
0006610007.tif 000006
【図６】
0006610007.tif 000007
【図７】
0006610007.tif 000008